(57)【要約】【課題】空調機のドレン配管汚れ検出装置において、空調機から室内への水漏れを有効に防止することである。【解決手段】空調機のドレン配管３８の長さ複数個所に透明材料製の透明配管部５４を設ける。各透明配管部５４に対応する複数個所に、透明配管部５４内の光透過率を検出する光センサ５６を設ける。光センサ５６からの検出信号を制御ユニットに出力する。制御ユニットは、光センサ５６からの検出信号に基づいて透明配管部５４内の光透過率異常の有無を判定する異常判定手段を有する。制御ユニットは、異常判定手段で光透過率の異常があると判定された場合に、空調機の化粧板２８下側に設けた第２警告ランプを点灯または点滅させる。【選択図】図５
2008309449.tif 000002
【特許請求の範囲】
【請求項１】
空調機のドレン配管に設けた透明材料製の透明配管部と、
透明配管部内の光透過率を検出する光センサと、
光センサからの検出信号に基づいて透明配管部内の光透過率異常の有無を判定する異常判定手段と、を備えることを特徴とする空調機のドレン配管汚れ検出装置。
【請求項２】
請求項１に記載の空調機のドレン配管汚れ検出装置において、
異常判定手段で異常が判定された場合に異常を報知する報知手段を備えることを特徴とする空調機のドレン配管汚れ検出装置。
【請求項３】
請求項１または請求項２に記載の空調機のドレン配管汚れ検出装置において、
異常判定手段で異常が判定された場合に、空調機の作動を停止させる空調機運転制御手段を備えることを特徴とする空調機のドレン配管汚れ検出装置。
【請求項４】
請求項３に記載の空調機のドレン配管汚れ検出装置において、
ドレン配管の吸入側からドレン水を吸引し、ドレン配管の排出側に送り出すドレンポンプを備え、
空調機運転制御手段は、異常判定手段で異常が判定された場合に、少なくとも空調機のファンの作動を停止させる一方、ドレンポンプを作動させ続けることを特徴とする空調機のドレン配管汚れ検出装置。
【請求項５】
請求項１から請求項４のいずれか１に記載の空調機のドレン配管汚れ検出装置において、
ドレン配管の長さ方向複数個所に対応する位置に透明配管部および光センサをそれぞれ設けたことを特徴とする空調機のドレン配管汚れ検出装置。
【請求項６】
請求項１から請求項５のいずれか１に記載の空調機のドレン配管汚れ検出装置において、
ドレン配管のドレン水上流側に設けられたドレンポンプを備え、
ドレン配管は、ドレンポンプよりも下流側の立ち上がり排水部と、立ち上がり排水部から下流側に連続して水平方向に配置した水平排水部とを備えることを特徴とする空調機のドレン配管汚れ検出装置。
【発明の詳細な説明】
【技術分野】
【０００１】
本発明は、空調機のドレン配管に設けた透明材料製の透明配管部と、透明配管部内の光透過率を検出する光センサとを備える空調機のドレン配管汚れ検出装置に関する。
【背景技術】
【０００２】
従来から、建物の各階に設けられる空調機として、例えば天井設置型空調機がある。天井設置型としては、天井カセット型と呼ばれる天井の下側から上側に、吸い込み部と吹き出し部とを有する化粧板およびその上側の箱体をはめ込んで設置する構造、天井埋め込み型と呼ばれる天井内に室内機本体部を埋め込む構造、天井ビルトイン型と呼ばれる吸い込み部を有する室内機本体部と、室内機本体部に接続した吹き出し部を有するダクトとを天井内にそれぞれ設置する構造等がある。いずれにしても、従来は、冷房運転時に発生する結露水、すなわち熱交換器を通過する水蒸気の凝縮により生成されるドレン水を排水受け皿であるドレンパンで捕集し、ドレンパンからドレン配管の傾斜を利用して自然排水するか、またはドレンパンからドレンポンプにより強制的にドレン水を吸い上げてドレン配管を通じて屋外等に排出することが考えられている。
【０００３】
【特許文献１】特開平１１−８３７５８号公報
【発明の開示】
【発明が解決しようとする課題】
【０００４】
従来から知られている天井設置型空調機の場合、長期間の使用に伴ってドレン配管内で水が溜まると、水に空気中の菌類、水アカ、ほこり等が混入されること等により、水が粘り気のあるスライム状となり、ドレン配管につまりを生じてドレン水の排出を阻害する可能性がある。そして、ドレン水の排出の阻害が著しくなると、ドレンパンからドレン水が吸い込み口側に漏れ出して室内に水漏れを生じる可能性がないとはいえない。これに対して、ドレン配管のつまりを点検により確認することも考えられているが、天井裏に設置されたドレン配管を点検する作業は手間を要し、点検作業を頻繁に行えない場合には、室内への水漏れを有効に防止できない可能性がある。また、ドレン配管は、従来から塩化ビニル等により造られており、不透明であるため、ドレン配管を外側から見ただけでは内部のつまり状態を判断できないという問題もある。また、点検作業以外で、ドレン配管のつまりを判断する手段としては、ドレンポンプのつまりを検出するドレンセンサを設けて、ドレンセンサからの検出信号によりドレンポンプ内のドレン水が所定量以上であると判定された場合にドレンポンプを作動停止させることも考えられる。ただし、この場合には、ドレンポンプはドレン配管のつまり以外でも作動停止する可能性があるため、ドレンポンプの作動状態だけでドレン配管のつまり状態を有効に判定することは難しい。
【０００５】
また、特許文献１には、被測定流体の濃度を測定する手段として、光を用いて透過光減衰率や散乱光増加率を測定して濃度を求める光学式濃度計を用いることが記載されている。ただし、特許文献１には、空調機のドレン配管の光透過率の変化を検出するとともに、検出されたドレン配管内の光透過率異常の有無を判定する手段は開示されていない。このような特許文献１に記載された光学式濃度計の場合、空調機のドレン配管の汚れを検出して、空調機から室内への水漏れを有効に防止することはできない。
【０００６】
本発明の目的は、空調機のドレン配管汚れ検出装置において、空調機から室内への水漏れを有効に防止することを目的とする。
【課題を解決するための手段】
【０００７】
本発明に係る空調機のドレン配管汚れ検出装置は、空調機のドレン配管に設けた透明材料製の透明配管部と、透明配管部内の光透過率を検出する光センサと、光センサからの検出信号に基づいて透明配管部内の光透過率異常の有無を判定する異常判定手段と、を備えることを特徴とする空調機のドレン配管汚れ検出装置である。
【０００８】
また、好ましくは、異常判定手段で異常が判定された場合に異常を報知する報知手段を備える。
【０００９】
また、より好ましくは、異常判定手段で異常が判定された場合に、空調機の作動を停止させる空調機運転制御手段を備える。
【００１０】
また、より好ましくは、ドレン配管の吸入側からドレン水を吸引し、ドレン配管の排出側に送り出すドレンポンプを備え、空調機運転制御手段は、異常判定手段で異常が判定された場合に、少なくとも空調機のファンの作動を停止させる一方、ドレンポンプを作動させ続ける。
【００１１】
また、より好ましくは、ドレン配管の長さ方向複数個所に対応する位置に透明配管部および光センサをそれぞれ設ける。
【００１２】
また、より好ましくは、ドレン配管のドレン水上流側に設けられたドレンポンプを備え、ドレン配管は、ドレンポンプよりも下流側の立ち上がり排水部と、立ち上がり排水部から下流側に連続して水平方向に配置した水平排水部とを備える。
【発明の効果】
【００１３】
本発明に係る空調機のドレン配管汚れ検出装置によれば、異常判定手段によりドレン配管に設けた透明配管部内の光透過率が異常であると判定されることにより、ドレン配管に不透明の液体であるドレン水が存在し、ドレン配管に汚れがあると判断できる。すなわち、ドレン水は、空気中の菌類、水アカ、ほこり等の混入により粘性が高い有色の不透明になるため、光透過率が小さくなることでこの不透明のドレン水がドレン配管内に過度に存在し、ドレン配管に汚れがあると判断できる。このため、例えば、異常判定手段で異常が判定された場合に異常を報知する報知手段を備える構成を採用することにより、ユーザーが、異常があることを認識し、空調機の作動を停止することで、空調機から室内に水漏れが生じるのを有効に防止できる。また、異常判定手段で異常が判定された場合に、空調機の作動を停止させる空調機運転制御手段を備える構成を採用することによっても、空調機から室内への水漏れを有効に防止できる。また、空調機が天井裏に設置される等、ドレン配管等の空調機の構成部品の点検作業が困難な場所に設置される場合でも、点検作業を行わずに、ドレン配管内部の汚れを検出できる。
【００１４】
また、異常判定手段で異常が判定された場合に、空調機の作動を停止させる空調機運転制御手段を備える構成において、ドレン配管の吸入側からドレン水を吸引し、ドレン配管の排出側に送り出すドレンポンプを備え、空調機運転制御手段は、異常判定手段で異常が判定された場合に、少なくとも空調機のファンの作動を停止させる一方、ドレンポンプを作動させ続ける構成によれば、ファンの作動停止により、室内への水漏れがファンにより促進されるのを防止しつつ、ドレンポンプの作動によりドレンパン内のドレン水を吸い出して、空調機から室内への水漏れをより有効に防止できる。
【００１５】
また、ドレン配管の長さ方向複数個所に対応する位置に透明配管部および光センサをそれぞれ設けた構成によれば、ドレン配管の一部のみに汚れがある場合でも汚れをより見つけやすくでき、空調機から室内への水漏れをより有効に防止できる。
【００１６】
また、ドレン配管のドレン水上流側に設けられたドレンポンプを備え、ドレン配管は、ドレンポンプよりも下流側の立ち上がり排水部と、立ち上がり排水部から下流側に連続して水平方向に配置した水平排水部とを備える構成によれば、水平排水部の方向が水平方向に対し傾斜しないか、または傾斜していてもその傾斜がわずかである場合に、水平排水部においてドレン水のつまりが生じやすくなり、空調機から室内への水漏れを生じやすくなる傾向となる。このため、上記の透明配管部と光センサと異常判定手段とを備える本発明の構成を採用することにより、空調機から室内への水漏れを有効に防止できるという本発明により得られる効果が顕著になる。
【発明を実施するための最良の形態】
【００１７】
以下において、図面を用いて本発明に係る実施の形態につき詳細に説明する。図１から図７は、本発明の実施の形態の１例を示している。図１は、ドレン配管汚れ検出装置によりドレン配管の汚れを検出する空調機を示す構成図である。図２は、図１において、主に空調機の室内機部分を詳しく示す構成図である。図３は、天井裏に設置した室内機を、一部を省略して示す略斜視図である。図４は、図３の吸い込み口およびドレンパンを斜め上方から見た斜視図である。図５は、室内機およびドレン配管と光センサとを示す略斜視図である。図６は、図５のＡ−Ａ断面と光センサからの信号を入力する制御ユニットおよび警告ランプの構成とを示す図である。図７は、光センサと警告ランプとを含む回路図である。なお、以下の説明においては、空調機が天井カセット型である場合を説明するが、本発明では、ドレン配管の汚れを検出する空調機を天井カセット型とする場合に限定するものではない。例えば、天井埋め込み型と呼ばれる、天井内に熱交換器と吹き出し部とを有する室内機本体部を埋め込む構造、天井ビルトイン型と呼ばれる、吸い込み部を有する室内機本体部と、室内機本体部に接続した吹き出し部を有するダクトとを天井内にそれぞれ設置する構造等の種々の空調機のドレン配管の汚れを検出する構成に本発明を適用することもできる。
【００１８】
図１に示すように、空調機１０は、室内機１２と室外機１４とを備え、室内機１２は、蒸発器である第１熱交換器１６と、送風ファン１８とを備える。また、室外機１４は、圧縮機２０と凝縮機である第２熱交換器２２とを備える。第１熱交換器１６と圧縮機２０と第２熱交換器２２とは、冷媒配管２４で接続している。また、冷媒の流れる経路において、第１熱交換器１６よりも冷媒の流れ方向上流側に、図示しない膨張弁を設けている。
【００１９】
室内機１２は、建物の天井に下から上にはめ込むカセット型で、箱体２６と、箱体２６の下側に設けた化粧板２８とを備える。化粧板２８は、図３に示すように、中央部に吸い込み口３０を、吸い込み口３０の周囲の複数個所（図示の例の場合は４個所）に吹き出し口３２を、それぞれ設けている。また、化粧板２８の上側に鋼板等により造られたドレンパン３４を設置している。ドレンパン３４は、図４に示すように、吸い込み口３０の周囲に枠状に設けている。図３、図４で図示を省略する第１熱交換器１６（図１）は、ドレンパン３４に下面を設置する状態で環状に立設している。第１熱交換器１６で発生したドレン水は、ドレンパン３４に捕集されてから、ドレンポンプ３６によりドレン配管３８を通じて外部に排出可能としている。すなわち、ドレンポンプ３６は、ドレン配管３８のドレン水上流側に設けている。ドレンポンプ３６は、図示しないモータにより駆動される。ドレンポンプ３６は、モータの駆動により、ドレン配管３８の吸入側、すなわち上流側からドレン水を吸引し、ドレン配管３８の排出側、すなわち下流側に送り出す。ドレン配管３８の内径は、例えば、２０ｍｍから２５ｍｍ等である。
【００２０】
図１、図２に戻り、箱体２６の内側で、第１熱交換器１６の内側に送風ファン１８を設けている。送風ファン１８は、図示しないモータにより駆動される遠心ファンで、図３、図４に図示する吸い込み口３０から吸い上げた室内の空気を、周囲の第１熱交換器１６に吹き出すようにしている。これにより、第１熱交換器１６を通過する空気は第１熱交換器１６で冷却された後、吹き出し口３２（図３）を通じて室内に吹き出される。
【００２１】
図１、図２に示すように、送風ファン１８を駆動するモータは、制御部４０に接続されている。制御部４０は、ＣＰＵ、メモリ等を有するマイクロコンピュータである。制御部４０は、送風ファン１８の作動を制御する空調機運転制御手段を有する。空調機運転制御手段は、圧縮機２０およびドレンポンプ３６（図３）のそれぞれを駆動するモータの作動も制御する。また、制御部４０は、室内に設けられるリモコン４２（図２）に対して、有線または無線で信号の入力および出力を可能としている。
【００２２】
図２に示すように、化粧板２８の下側に第１警告ランプ４４および第２警告ランプ４６を設けている。また、室内機１２に、ドレンポンプ３６（図３）につまりが生じた場合や、ドレンパン３４（図３、図４）のドレン水の水位が所定以上である場合に異常を表す信号、すなわち異常信号を出力するドレンセンサ４８を設け、ドレンセンサ４８を制御部４０に接続している。制御部４０は、ドレンセンサ４８から異常信号を受け取ると、第１警告ランプ４４を点灯または点滅させる。第１警告ランプ４４および第２警告ランプ４６は、室内で人が見上げた場合に見える位置に設けている。また、第２警告ランプ４６は、ドレン配管汚れ検出装置５０を構成し、請求項に記載した報知手段に対応する。ドレン配管汚れ検出装置５０は、第２警告ランプ４６と、それぞれ後述する制御ユニット５２と、透明配管部５４（図５、図６）と、光センサ５６とを備える。
【００２３】
図５に示すように、ドレン配管３８は箱体２６の外部に位置する部分に、第１水平排水部５８と第２水平排水部６０と、第１水平排水部５８および第２水平排水部６０の間に連結した立ち上がり排水部６２とを備える。すなわち、ドレン配管３８は、ドレンポンプ３６よりも下流側のほぼ直立する立ち上がり排水部６２と、立ち上がり排水部６２から連続してほぼ水平方向に配置した第２水平排水部６０とを備える。各水平排水部５８，６０は、水平方向に対し全く傾斜しない状態で配置することも、水平方向に対しわずかに傾斜した状態で配置することもできる。本明細書および特許請求の範囲全体において、水平排水部とは、水平方向に対しわずかに傾斜した実質的に水平であるように配置された配管部も含む。そして、立ち上がり排水部６２と、第２水平排水部６０の２個所位置との、ドレン配管３８の長さ方向複数個所（図示の例の場合は３個所）に、透明配管部５４を設けている。透明配管部５４は、透明なプラスチック材または透明ガラス等の透明材料により、管状に造っている。なお、透明配管部５４は、後述する光センサ５６と対向する長さ方向一部を透明材料製としていればよく、例えば、ドレン配管３８の他の部分との接続部を透明材料以外により構成することもできる。このような透明配管部５４を設けた立ち上がり排水部６２および第２水平排水部６０は、室内の光および外光がほとんど届かない天井裏に配置している。
【００２４】
また、ドレン配管３８において、透明配管部５４に対応する複数個所（図示の例の場合は３個所）位置に、光センサ５６を設けている。なお、光センサ５６および透明配管部５４の数は、１個または２個または４個以上とすることもできる。
【００２５】
図６に示すように、光センサ５６は、例えば赤外線式センサで、発光部６４と受光部６６とを備える。発光部６４と受光部６６とは、透明配管部５４の外周面に互いに透明配管部５４の直径方向に対向するように取り付けている。発光部６４から照射した光は受光部６６で受けるようにしている。発光部６４と受光部６６とは、第２制御部である制御ユニット５２に接続している。制御ユニット５２は、ＣＰＵ、メモリ等を有するマイクロコンピュータであり、制御部４０とは別に後に設置することを可能としている。制御ユニット５２は、室内機１２に設けている。光センサ５６は、制御ユニット５２から発光部６４に出力される信号と、受光部６６から入力される信号とから、透明配管部５４内の光透過率を検出する。光センサ５６の光透過率の検出値を表す信号は制御ユニット５２に出力される。
【００２６】
制御ユニット５２は、光センサ５６の検出信号に基づいて透明配管部５４内の光透過率の異常の有無を判定する異常判定手段を有する。また、制御ユニット５２は、異常判定手段で光透過率の異常があると判定された場合、すなわち、透明配管部５４内に不透明なドレン水等に起因する汚れが過度にあることにより、透明配管部５４を通過する赤外線等の光透過率の減衰が過度であると判定された場合に、異常を報知する。すなわち、この場合には、化粧板２８の下側に設けた第２警告ランプ４６（図２、図６）を点灯または点滅させる。
【００２７】
例えば、図７に示すように、制御ユニット５２は、直流電源７０と、論理否定素子（ＮＯＴ素子）７２と、トランジスタ等のスイッチング素子７４とを備えるものとする。直流電源７０は、光センサ５６を構成する発光部６４と受光部６６とにそれぞれ接続している。発光部６４は、赤外線ＬＥＤ等の発光素子により構成している。受光部６６は、フォトトランジスタ、フォトダイオード等の受光素子により構成している。発光部６４から照射した光が受光部６６で不透明のドレン水により過度にさえぎられることなく受け取られると、ドレン配管３８（図３、図５）内のつまりが過度にはないと判定されて、論理否定素子７２からの出力信号がＬＯとなり、第２警告ランプ４６は消灯する。第２警告ランプ４６は、外部の交流電源７６に接続している。また、発光部６４から照射した光が受光部６６で不透明のドレン水により過度にさえぎられることにより、受光部６６で受け取る光が過度に減衰すると、ドレン配管３８（図３、図５）内のつまりが過度にあると判定されて、論理否定素子７２からの出力信号がＨｉｇｈとなり、第２警告ランプ４６が点灯する。これにより、ドレン配管３８の汚れが検出可能となる。なお、第２警告ランプ４６に直流電源により電力を供給することもできる。また、異常判定手段は、論理否定素子７２とスイッチング素子７４とを備えるものとする。
【００２８】
また、図２に示すように、制御ユニット５２の異常判定手段で、透明配管部５４（図５、図６）内の光透過率の異常があると判定された場合に、光透過率の異常があることを表す信号を制御部４０に出力して、制御部４０が有する空調機運転制御手段により、空調機１０の作動を停止させる、例えば、送風ファン１８の作動を停止させるようにすることもできる。また、この場合、空調機運転制御手段により、送風ファン１８だけでなく、室外機１４の圧縮機２０（図１）とドレンポンプ３６（図３）との作動を停止させることもできる。また、異常判定手段で光透過率の異常があると判定された場合に、空調機運転制御手段により、送風ファン１８のみの作動を停止させたり、または送風ファン１８と圧縮機２０との作動を停止させる一方、ドレンポンプ３６（図３）を作動させ続けるようにすることもできる。
【００２９】
また、図２に示すように、リモコン４２に第３警告ランプ７８を設けるとともに、制御ユニット５２の異常判定手段で、透明配管部５４（図５、図６）内の光透過率の異常があると判定された場合に、制御部４０からリモコン４２に異常を表す信号を出力して第３警告ランプ７８を点灯または点滅させることもできる。本実施の形態では、制御ユニット５２および第２警告ランプ４６を、空調機１０のその他の構成部品を組み付けた後で、取り付けるようにすることもできる。例えば、第２警告ランプ４６を取り付ける場合には、化粧板２８に第２警告ランプ４６を取り付けるための孔部を設ける等により、第２警告ランプ４６を容易に取り付けることができる。
【００３０】
なお、第１警告ランプ４４等、ドレン配管汚れ検出装置５０を設けていない空調機に設けている警告ランプに、第２警告ランプ４６の機能も持たせて第２警告ランプ４６として流用することにより、警告ランプの数を少なくすることもできる。また、制御部４０に、制御ユニット５２の機能を持たせるようにすることもできる。この場合には、光センサ５６からの信号を制御部４０に直接出力する。制御部４０は、光センサ５６からの信号により透明配管部５４内の光透過率の異常があると判定された場合に、第２警告ランプ４６等の警告ランプを点灯または点滅させたり、送風ファン１８の作動を停止させる機能を有するものとすることもできる。
【００３１】
このような本実施の形態によれば、透明配管部５４と光センサ５６と異常判定手段とを備えるので、異常判定手段によりドレン配管３８に設けた透明配管部５４内の光透過率が異常であると判定されることにより、ドレン配管３８に不透明の液体であるドレン水が存在し、ドレン配管３８に汚れがあると判断できる。すなわち、ドレン水は、空気中の菌類、水アカ、ほこり等の混入により粘性が高い有色の不透明になるため、光透過率が小さくなることでこの不透明のドレン水がドレン配管３８内に過度に存在すると、ドレン配管３８に汚れがあると判断できる。このため、本実施の形態のように、異常判定手段で異常が判定された場合に異常を報知する第２警告ランプ４６を備える構成を採用することにより、ユーザーが、異常があることを認識し、空調機１０の作動を停止することで、空調機１０から室内に水漏れが生じるのを有効に防止できる。また、異常判定手段で異常が判定された場合に、空調機１０の作動を停止させる空調機運転制御手段を備える構成を採用することによっても、空調機１０から室内への水漏れを有効に防止できる。また、本実施の形態のように、空調機１０が天井裏に設置され、ドレン配管３８等の空調機１０の構成部品の点検作業が困難な場所に設置される場合でも、点検作業を行わずに、ドレン配管３８内部の汚れを検出でき、ドレン配管３８内のつまりによる室内への水漏れを有効に防止できる。
【００３２】
また、ドレンポンプ３６を備え、空調機運転制御手段は、異常判定手段で異常が判定された場合に、少なくとも空調機１０の送風ファン１８の作動を停止させる一方、ドレンポンプ３６を作動させ続ける構成を採用した場合には、送風ファン１８の作動停止により、空調機１０から室内への水漏れが送風ファン１８により促進されるのを防止しつつ、ドレンポンプ３６の作動によりドレンパン３４内のドレン水を吸い出して、空調機１０から室内への水漏れをより有効に防止できる。
【００３３】
また、ドレン配管３８の長さ方向複数個所に対応する位置に光センサ５６を設けているので、ドレン配管３８の一部のみに汚れがある場合でも汚れをより見つけやすくでき、空調機１０から室内への水漏れをより有効に防止できる。
【００３４】
また、ドレン配管３８のドレン水上流側に設けられたドレンポンプ３６を備え、ドレン配管３８は、ドレンポンプ３６よりも下流側の立ち上がり排水部６２と、立ち上がり排水部６２から下流側に連続して水平方向に配置した第２水平排水部６０とを備えるので、第２水平排水部６０の方向が水平方向に対し傾斜しないか、または傾斜していてもその傾斜がわずかである場合に、第２水平排水部６０においてドレン水のつまりが生じやすくなり、空調機１０から室内への水漏れを生じやすくなる傾向となる。このため、透明配管部５４と光センサ５６と異常判定手段とを備える本実施の形態の構成を採用することにより、空調機１０から室内への水漏れを有効に防止できるという本実施の形態により得られる効果が顕著になる。
【００３５】
なお、報知部は本実施の形態のような第２警告ランプ４６等の警告ランプに限定するものではなく、例えば、警告ブザーを報知部とすることもできる。例えば、異常判定手段で透明配管部５４内の光透過率の異常があると判定された場合に、第２警告ランプ４６の点灯または点滅の代わりに、またはこれとともに、警告ブザーを鳴らすようにすることもできる。
【００３６】
また、本実施の形態は、ドレン配管汚れ検出装置５０によりドレン配管３８の汚れを検出する空調機１０が天井設置型である場合を説明した。ただし、本発明はこのような構成に限定するものではなく、例えば、家庭用空調機等として一般的に使用される壁掛け型等の壁設置型の空調機のドレン配管の汚れを検出する構成とすることもできる。例えば、壁設置型の空調機の汚れ検出装置において、透明配管部と光センサと異常判定手段と、報知手段である警告ランプおよび空調機運転制御手段の一方または両方とを備える構成とすることもできる。
【図面の簡単な説明】
【００３７】
【図１】本発明の実施の形態に係るドレン配管汚れ検出装置によりドレン配管の汚れを検出する空調機を示す構成図である。
【図２】図１において、主に空調機の室内機部分を詳しく示す構成図である。
【図３】天井裏に設置した室内機を、一部を省略して示す略斜視図である。
【図４】図３の吸い込み口およびドレンパンを斜め上方から見た斜視図である。
【図５】室内機およびドレン配管と光センサとを示す略斜視図である。
【図６】図５のＡ−Ａ断面と光センサからの信号を入力する制御ユニットおよび警告ランプの構成とを示す図である。
【図７】光センサと警告ランプとを含む回路図である。
【符号の説明】
【００３８】
１０  空調機、１２  室内機、１４  室外機、１６  第１熱交換器、１８  送風ファン、２０  圧縮機、２２  第２熱交換器、２４  冷媒配管、２６  箱体、２８  化粧板、３０  吸い込み口、３２  吹き出し口、３４  ドレンパン、３６  ドレンポンプ、３８  ドレン配管、４０  制御部、４２  リモコン、４４  第１警告ランプ、４６  第２警告ランプ、４８  ドレンセンサ、５０  ドレン配管汚れ検出装置、５２  制御ユニット、５４  透明配管部、５６  光センサ、５８  第１水平排水部、６０  第２水平排水部、６２  立ち上がり排水部、６４  発光部、６６  受光部、７０  直流電源、７２  論理否定素子、７４  スイッチング素子、７６  交流電源、７８  第３警告ランプ。
【図１】
2008309449.tif 000003
【図２】
2008309449.tif 000004
【図３】
2008309449.tif 000005
【図４】
2008309449.tif 000006
【図５】
2008309449.tif 000007
【図６】
2008309449.tif 000008
【図７】
2008309449.tif 000009